(57)【要約】      （修正有）【課題】フレコンバッグが収容物によって破れるのを防止し、装着や取り外しが容易で、使い廻しすることができるフレコンバッグ自立用枠を提供する。【解決手段】可撓性を有する板状の枠１であって、フレコンバッグ３のバッグ本体４の下端から上端までの高さの短辺と、バッグ本体４の内面全周に沿う長さの長辺とを有し、長辺を曲げて円筒状にした状態でバッグ本体４の内側に挿入される。可撓性を有する板状の枠１が、フレコンバッグ３の内側又は外側に設置されるので、フレコンバッグ３が内部の収容物によって破れるのを防止する。枠１はその上端を持って引き抜くことができるので、装着や取り外しが容易で、使い廻しが可能である。枠１は、長辺方向に波が連続する波板である。【選択図】図５
0003223675.tif 000002
【実用新案登録請求の範囲】
【請求項１】
可撓性を有する板状の枠であって、フレコンバッグのバッグ本体の下端から上端までの高さの短辺と、前記バッグ本体の内面全周に沿う長さの長辺とを有し、長辺を曲げて円筒状にした状態で前記バッグ本体の内側又は外側に設置されることを特徴とするフレコンバッグ自立用枠。
【請求項２】
前記枠は、長辺方向に波が連続する波板であることを特徴とする請求項１に記載のフレコンバッグ自立用枠。
【請求項３】
前記枠の上縁に複数の孔が形成されていることを特徴とする請求項１又は２に記載のフレコンバッグ自立用枠。
【請求項４】
前記複数の孔に吊り上げ用の紐が取り付けられていることを特徴とする請求項３に記載のフレコンバッグ自立用枠。
【請求項５】
前記バッグ本体の底に収容される底板を備えることを特徴とする請求項１から４のいずれかに記載のフレコンバッグ自立用枠。
【考案の詳細な説明】
【技術分野】
【０００１】
本考案は、フレコンバッグを自立した状態に保持するフレコンバッグ自立用枠に関する。
【背景技術】
【０００２】
フレコンバッグ（フレキシブルコンテナバッグ）は、建築現場の廃材入れ、水災害防止用の土嚢、放射性物質により汚染された土壌の保管等に使用されている。フレコンバッグは、開口部を拡げて立てた状態で使用する。しかし、フレコンバッグは布製で自立しない。そこで、従来より、フレコンバッグを自立させるスタンド等が種々提案されている。
【０００３】
例えば、特許文献１には、フレコンバッグの外周の半分を覆う円弧状の上枠部材及び下枠部材と、これらの上枠部材と下枠部材を連結する複数本の竪子部材とからなり、フレコンバッグの外側に配置して開口部を上枠部材に係止するようにしたフレコンバッグ用自立補助フレームが提案されている。
【０００４】
特許文献２には、ベースと、該ベース上に立設された複数の支柱とからなり、フレコンバッグの外側を支柱で支え、フレコンバッグの開口部を支柱の上端に掛けて開いた状態にできるフレキシブルコンテナバッグ用スタンドが提案されている。
【０００５】
しかし、特許文献１のフレームや特許文献２のスタンドは、フレコンバッグの外側に配置されるため、フレコンバッグが内部に収容される廃材等で破れることがあった。
【０００６】
特許文献３には、リングと４本の脚からなり、フレコンバッグの中にセットできる立脚枠が提案されている。
【０００７】
特許文献４には、フレコンの袋部と２重構造となる編目状の側面部と底面部を有する自立保持部を備えた土嚢用自立式フレキシブルコンテナが記載されている。
【０００８】
しかし、特許文献３の立脚枠は、４本の脚だけがフレコンバッグの内面と接触しているだけであるため、４本の脚と接触する部分以外で収容物によってフレコンバッグが破れることがあった。
【０００９】
また、特許文献４のフレキシブルコンテナは、フレコンの袋部と自立保持部の側面部及び底面部が接着や縫合によって固着されているため、自立保持部の取り外しが困難であり、使い廻しができない。
【先行技術文献】
【特許文献】
【００１０】
【特許文献１】実用新案登録第３１７８６８０号明細書
【特許文献２】実用新案登録第３１９００５８号明細書
【特許文献３】実用新案登録第３２１３５３０号明細書
【特許文献４】特許第４３０３７７４号明細書
【考案の概要】
【考案が解決しようとする課題】
【００１１】
本考案は、前記従来の問題点に鑑みてなされたもので、フレコンバッグが収容物によって破れるのを防止し、装着や取り外しが容易で、使い廻しすることができるフレコンバッグ自立用枠を提供することを課題とする。
【課題を解決するための手段】
【００１２】
前記課題を解決するために、本考案は、
可撓性を有する板状の枠であって、フレコンバッグのバッグ本体の下端から上端までの高さの短辺と、前記バッグ本体の全周に沿う長さの長辺とを有し、長辺を曲げて円筒状にした状態で前記バッグ本体の内側又は外側に設置するように構成されている。
【００１３】
本考案では、可撓性を有する板状の枠が、フレコンバッグと内部の収容物との間に介在するので、フレコンバッグが内部の収容物によって破れるのを防止することができる。可撓性を有する板状の枠がフレコンバッグの外側に設置しても、収容物がフレコンバッグを突き抜けないので、フレコンバッグが破れるのを防止することができる。また、可撓性を有する板状の枠は長辺を曲げて円筒状にした状態でバッグ本体の内側に挿入することができるとともに、フレコンバッグが収容物で満たされても、枠の上端を持って引き抜くことができるので、装着や取り外しが容易で、使い廻しが可能である。
【００１４】
前記枠は、長辺方向に波が連続する波板である。これにより、フレコンバッグが内部の収容物によって膨らむのが防止される。また、枠が波板であることにより、枠とバッグ本体又は内部の収用物との接触面積が少なく、枠を引き抜くときの摩擦抵抗が少なくなり、枠を容易に引き抜くことができる。
【００１５】
前記枠の上縁に複数の孔が形成されている。これにより、この孔に指やフックを掛けて枠を容易に引く抜くことができる。
【００１６】
前記複数の孔に吊り上げ用の紐が取り付けられている。これにより、紐を持って枠を容易に引く抜くことができる。
【００１７】
前記バッグ本体の底に収容される底板を備える。このため、フレコンバッグの底部が内部の収容物によって破れるのを防止することができる。
【考案の効果】
【００１８】
本考案によれば、可撓性を有する枠がフレコンバッグの内側又は外側に設置されるので、フレコンバッグが内部の収容物によって破れるのを防止することができる。また、可撓性を有する板状の枠は長辺を曲げて円筒状にした状態でバッグ本体の内側に挿入することができるとともに、フレコンバッグが収容物で満たされても、枠の上端を持って引き抜くことができるので、装着や取り外しが容易で、使い廻しが可能である。
【図面の簡単な説明】
【００１９】
【図１】本考案の実施形態に係るフレコンバッグ自立用枠の展開状態の斜視図（ａ）、枠の巻き付け状態を示す斜視図（ｂ）波形の形状を示す図（ｃ）、及び孔にハトメを固着した状態を示す斜視図。
【図２】底板の斜視図。
【図３】フレコンバッグの形状を示す斜視図。
【図４】枠をフレコンバッグの内側に挿入する状態を示す斜視図。
【図５】図４に続く枠をフレコンバッグに挿入する状態を示す斜視図。
【図６】図５に続く枠をフレコンバッグに挿入する状態を示す斜視図。
【図７】枠と底板を収容したフレコンバッグに収容物を収容した状態を示す縦断面図。
【図８】図７のVIII-VIII線拡大断面図。
【図９】フレコンバッグから枠を引き抜く状況を示す斜視図。
【図１０】枠をフレコンバッグの外側に設置する状態を示す斜視図。
【図１１】図１０に続き枠をフレコンバッグの外側に設置した状態を示す斜視図。
【図１２】図１１のフレコンバッグを３つ併設した状態を示す斜視図。
【考案を実施するための形態】
【００２０】
以下、本考案の実施形態を添付図面に従って説明する。
【００２１】
図１は、本考案の実施形態に係るフレコンバッグ自立用枠１を示す。図２は、枠１とともに使用される底板２である。
【００２２】
図３に示すように、枠１と底板２が収容されるフレコンバッグ（フレキシブルコンテナバッグ）３は、ポリプロピレン製の布材を縫製したもので、１トンの収容物を収容することができる公知のものである。フレコンバッグ３は、円筒状のバッグ本体４と、該バッグ本体４の下端に取り付けられた円形の底部５と、バッグ本体４の上端に取り付けられた投入口を有する円筒状の蓋部６を有し、バッグ本体４には吊りベルト７が設けられている。
【００２３】
図１に戻ると、枠１は、可撓性を有する矩形の板状である。枠１は、長辺方向に波が連続する波板であり、図１（ｂ）に示すように、長辺１ｂを曲げて巻いた状態で、搬送、保管し、また円筒状にしてフレコンバグ３のバッグ本体４の内側又は外側に設置することができる。
【００２４】
枠１の材質は、塩化ビニル樹脂、ポリカーボネート樹脂等のほか、容リ材（プラスチック製容器包装リサイクル材）から再生されたＰＰ・ＰＥ混合再生材等が好ましい。
【００２５】
枠１の厚さは０．２〜０．９ｍｍで、使い捨てする場合は、薄いものを使用し、再使用する場合は、厚いものを使用することが好ましい。枠１の波の形状は、図１（ｃ）に示すように、ピッチｐ＝３２ｍｍ、谷深さｄ＝９ｍｍの鉄板小波（ＪＩＳ  Ｋ６７３５）であることが好ましいが、これに限るものではない。枠１の大きさは、フレコンバッグ３のバッグ本体４の下端から上端までの高さの短辺１ａと、フレコンバッグ３のバッグ本体４の内面全周に沿う長さの長辺１ｂとを有する。長辺１ｂの両端には２．５山程度の重ね代を設けることが好ましい。フレコンバグ３のバッグ本体４が径１１００ｍｍ、高さ１１００であれば、枠１の短辺１ａは１０００〜１２００ｍｍ、長辺１ｂは、３５００〜３６００ｍｍである。
【００２６】
枠１の上縁となる長辺１ｂの近傍には、長辺１ｂに沿って４箇所に、孔１ｃが形成され、該孔１ｃには枠１の引き抜き用の紐８が取り付けられている。紐８の代わりにワイヤでもよい。孔１ｃの個数及び大きさは任意であるが、手が入る程度の長い孔１ｃであってもよい。孔１ｃは、図１（ｄ）に示すように、ハトメ９を固着して補強してもよい。
【００２７】
図２に示すように、底板２は、枠１と同じ材料で、枠１と同様に可撓性を有する円形の波板であることが好ましい。底板２の径は、フレコンバッグ３の底部５に収容可能な径を有し、例えばフレコンバッグ３が径１１００ｍｍ、高さ１１００であれば、１０００〜１０８０ｍｍであることが好ましい。底板２は、枠１に重ねて巻いた状態で、搬送、保管することができる。
【００２８】
次に、枠１と底板２を使用する方法及びそれらの作用について説明する。
【００２９】
まず、図４に示すように、フレコンバッグ３の蓋部６とバッグ本体４を拡げて底部５が見える状態にする。次に、フレコンバッグ３の底部５に底板２を設置した後、フレコンバッグ３の底部５に巻いた状態の枠１を立てて設置する。枠１は、吊り上げ用の紐８が上になるように設置する。
【００３０】
そして、図５に示すように、フレコンバッグ３のバッグ本体４と蓋部６を持ち上げながら、枠１の外面がフレコンバッグ３のバッグ本体４の内面に沿うようにして枠１を拡げて、両端を重ね合わせる。続いて、図６に示すように、蓋部６を折り返してバッグ本体４の外側に降ろす。これにより、これにより、フレコンバッグ３のバッグ本体４は、枠１が弾性により拡がろうとする力により円形を保持したまま自立状態になる。なお、適宜形状のクリップ１０により、枠１の重ね合わせ部を蓋部６とともに挟んでおいてもよい。
【００３１】
以上の作業は１人で行うことができる。フレコンバッグ３のバッグ本体４は、枠１により開口した状態に自立している。このため、図７に示すように、バッグ本体４や蓋部６の開口部を人手で保持することなく、フレコンバッグ３のバッグ本体４の中に収容物を容易に収容することができる。なお、図７に示すように、収容物が風雨に晒されたり、収容物の臭いが放散するのを防止するため、底板２と同様に波板からなるカバー板１１で収容物を覆うようにしてもよい。
【００３２】
図８に示すように、フレコンバッグ３のバッグ本体４と内部の収容物との間に、板状の枠１が介在するので、フレコンバッグ３が角材や、板材の角、ワイヤ、金属棒等の内部の収容物によって破れるのを防止することができる。
【００３３】
フレコンバッグ３の底部５には、底板２が設置されているので、フレコンバッグ３の底部５が内部の収容物によって破れるのを防止することができる。
【００３４】
また、枠１は、長辺方向、すなわち、設置状態では円周方向に波が連続する波板である。これにより、枠１は上下方向に延びる波形状を有するので、枠１が外側に膨らむ方向の力に対して剛性が高くなっている。このため、フレコンバッグ３が内部の収容物によって膨らむのが防止される。
【００３５】
また、可撓性を有する板状の枠１の長辺１ｂを曲げて円筒状にした状態でフレコンバッグ３のバッグ本体４の内側に挿入することができるので、設置・組立が容易である。
【００３６】
フレコンバッグ３が収容物で満たされると、図９に示すように、蓋部６を閉じる前に、枠１の上縁に設けた吊り上げ用の紐８を用いて、枠１を上方に引き抜く。ここで、枠１が波板であることにより、枠１とフレコンバッグ３のバッグ本体４又は内部の収用物との接触面積が少なくなっている。このため、枠１を引き抜くときの摩擦抵抗が少なくなり、作業者１人でも枠１を容易に引き抜くことができる。なお、砂や土砂などが収容されていて、作業者が１人で枠１を引き抜くことができない場合は、吊り上げ用の紐８にフックを掛けて重機で引き抜くことも可能である。
【００３７】
フレコンバッグ３の底部５に設置した底板２は取り出すことはできないので、フレコンバッグ３の底部５が破れる虞れがある場合以外は、底板２を設置しなくてよもよい。また、フレコンバッグ３の底部５に排出口があるものは、底板２は用いない。
【００３８】
枠１を引き抜いた後、蓋部６を持ち上げて閉じて、蓋部６の縛り紐６ａで縛って蓋部６を閉じる。蓋部６を閉じたフレコンバッグ３は、吊りベルト７にフックを掛けて重機で吊り上げて搬出することができる。
【００３９】
フレコンバッグ３から引き抜いた枠１は、新たなフレコンバッグ３に収容して再使用することができ、損傷しない限り、半永久的に使用し、使い廻しすることができる。
【００４０】
図１０は、本実施形態に係る枠１をフレコンバッグ３の外側に設置する、すなわち、枠１の内側にフレコンバッグ３を収容する状態を示す。枠１の長手方向の両端部には、５〜１２ｍｍの多数の小孔１２が一定間隔で複数列に形成され、枠１の両端部を重ね合わせたときに、小孔１２を利用して番線１３で連結することができるようになっている。枠１は、フレコンバッグ３の外側に設置されて外部から見えるので、着色樹脂を使用したり、表面にデザインを施したり、カラー塗装をすることが好ましい。また、小孔１２を枠１の全面に形成して、軽量化を図るとともに、美観を向上するようにしてもよい。
【００４１】
枠１をフレコンバッグ３の外側に設置する場合、図１０に示すように、枠１を円筒状にして地面に立てて置き、その中にフレコンバッグ３を挿入し、図１１に示すように、フレコンバッグ３の蓋部６を折り返して枠１の外側に掛けておく。折り返したフレコンバッグ３の蓋部６にバンド１４を巻いて固定してもよい。フレコンバッグ３が収容物で満たされると、バンド１４を外して蓋６部を閉じ、フレコンバッグ３を枠１から引き出す。あるいは、枠１の番線１３を外して、枠１をフレコンバッグ３から外す。枠１は新しいフレコンバッグ３を挿入して再使用することができる。
【００４２】
図１２は、枠１をフレコンバッグ３の外側に設置したものを３つ併設した状態を示す。各フレコンバッグ３には、一般ごみ、木材、プラスチック等と分別して収容することができる。分別が一目で分かるように、枠１に異なる色の着色樹脂を使用したり、外面に色の異なるカラー塗装をしてもよい。
【００４３】
本考案は、前記実施形態に限るものではなく、考案の要旨から逸脱しない範囲内で適宜変更及び修正を行うことができる。
【００４４】
例えば、前記実施形態では、枠１は波板としているが、可撓性を有する平板（シート）としてもよい。
【００４５】
また、フレコンバッグ３は、丸型であるが、角型でもよい。角型のフレコンバッグ３に枠１を挿入すると、本来角型の開口部は円形となるが、使用上問題はない。
【符号の説明】
【００４６】
１  枠
１ａ  短辺
１ｂ  長辺
１ｃ  孔  
２  底板
３  フレコンバッグ
４  バッグ本体
５  底部
６  蓋部
６ａ  縛り紐
７  吊りベルト
８  吊り上げ用の紐
９  ハトメ
１０  クリップ
１１  カバー板
１２  小孔
１３  番線
１４  バンド
【図１】
0003223675.tif 000003
【図２】
0003223675.tif 000004
【図３】
0003223675.tif 000005
【図４】
0003223675.tif 000006
【図５】
0003223675.tif 000007
【図６】
0003223675.tif 000008
【図７】
0003223675.tif 000009
【図８】
0003223675.tif 000010
【図９】
0003223675.tif 000011
【図１０】
0003223675.tif 000012
【図１１】
0003223675.tif 000013
【図１２】
0003223675.tif 000014